(57)【要約】【課題】郵政法の葉書の規定を満たし、且つワイドなレイアウトが可能で隠蔽性が良好しかも郵送途上の事故がなく開封も一回ですむ受取人に強烈なインパクトを与える隠蔽葉書を提供する。【解決手段】巻き折りすると中に包み込まれる葉片の一部が表出するように３葉片の大きさを設定し、表出した中央葉片の表面に郵便ハガキやポストカード及びそれに相当する表示を記載する。【選択図】　図２
2004050804.tif 000002
【特許請求の範囲】
【請求項１】
折り線を介して連接した３葉片を折り畳み、対向する葉片間を剥離可能に疑似接着した隠蔽葉書において、巻き折りに折り畳まれた後に第１葉片に隠蔽されることなく表出する第３葉片の表面に、郵便はがきやポストカード又はそれに相当する表示が視認可能に記載されていることを特徴とした巻き折り隠蔽葉書。
【請求項２】
第１葉片の横幅を他の２葉片の横幅より短かく設定し、巻き折りに折り畳まれた状態で第２葉片と第３葉片を介する折り線に沿って帯状に第３葉片の表面が表出した状態で、第３葉片表面に記載されている郵便はがきやポストカード又はそれに相当する表示が視認可能となったことを特徴とした請求項１に記載の巻き折り隠蔽葉書。
【請求項３】
３葉片を巻き折りに折り畳んだ後に、第３葉片の表面に記載されている郵便はがきやポストカード又はそれに相当する表示が第１葉片に形成された窓を透して視認可能となった巻き折り隠蔽葉書。
【請求項４】
第１葉片の縦幅を他の２葉片の縦幅より短く設定し、巻き折りに折り畳まれた状態で、第３葉片の表面に記載された郵便はがきやポストカード又はそれに相当する表示が視認可能であることを特徴とした請求項１に記載の巻き折り隠蔽葉書。
【発明の詳細な説明】
【０００１】
【発明の属する技術分野】
本発明は葉書に関する。詳しくは、見掛けは通常の葉書であるにもかかわらず３葉片が折り畳まれ、対向する葉片間が剥離可能（以下、疑似接着という。）に積層されているため、多量の情報を隠蔽状態でしかも葉書料金で伝達することができる巻き折り隠蔽葉書に関する。
【０００２】
【従来の技術】
最近、葉書において、情報が記載された複数の葉片を折り畳んで剥離可能に一体化し、多量の情報を郵送可能にした隠蔽葉書が利用されるようになった。
なお、前記隠蔽葉書は郵政法に適合していなければ葉書料金で郵送することができず、そのような適合した葉書として実開平７−２６１６０号に記載の「三つ折りシークレットはがき」がある。
【０００３】
【発明が解決しようとする課題】
前記三つ折りシークレットはがきは図５（Ｃ）の断面図に示すように、折り線３４、３５を介して連接された葉書用紙Ｓ４の３葉片３１、３２、３３を断面Ｚ字状に折り畳むものである。そして中央の葉書本体となる第２葉片３２に郵便はがきやポストカード又はそれに相当する表示を記載し、折り畳んだ後にその表示を視認可能としたものである。このように構成された隠蔽葉書は、折り畳まれた中央の葉書本体の表裏面に添付物が添付された形態とみなされ、郵便葉書として郵送が可能となるのである。
【０００４】
然るに前記引例は図５（Ａ）に示すように葉書用紙Ｓ４の第１葉片３１表面に郵便切手欄と郵便番号欄及び受取人の住所氏名３６を設けると、図５（Ｂ）に示すように必ず中央第２葉片３２裏面に郵便はがきやポストカード又はそれに相当する表示を記載しなければならなくなる。即ち葉書用紙Ｓ４の表裏面の何れにも、受取人に伝達する広告宣伝や個人情報とは関係のない前記郵便葉書関連の表示が強引に割り込み、そのため３葉片全面に渡るインパクトの大きいワイドなレイアウトができない等の制限を余儀なくされる。送り手としては、本来の目的と関連のない表示は片面に集約し、一切の制限がない表面で大きな効果を期待できるデザインを自由に創作したいところである。
【０００５】
また前記引例は、図６に示すよう折り畳んだ後の開封個所Ｋが表裏２個所発生するので煩わしい開封動作を２度必要とする。また開封個所が２個所あれば郵送途中に自然開封する危険性が増える。さらに前記引例は葉書用紙表裏面の各々２葉片に疑似接着手段を施す必要がある。即ち図５（Ｃ）の断面図に示すように、葉書用紙に厚さの異なる部分が発生するため、疑似接着手段の形成工程のみならず葉書の製造工程においても非常に加工が困難で効率が悪く大量に失敗を頻発する等の多くの問題を抱えている。
この発明はかかる問題に鑑み、隠蔽葉書の３葉片全面に渡りインパクトの大きいワイドなレイアウトが可能で、１個所を開封するだけで全面展開が可能となり開封の煩わしさが軽減され、郵送途中での自然開封による事故がなくなると共に、素人でも失敗することなく大量に製造することが可能な隠蔽葉書を提供するものである。
【０００６】
【課題を解決するための手段】
上記問題を解決するために本発明の巻き折り隠蔽葉書は、折り線を介して連接した３葉片を折り畳み、対向する葉片間を剥離可能に疑似接着した隠蔽葉書において、巻き折りに折り畳まれた後に第１葉片に隠蔽されることなく表出する第３葉片の表面に、郵便はがきやポストカード又はそれに相当する表示が視認可能に記載されていることを特徴としている。
具体的には第１葉片の横幅を他の２葉片の横幅より短かく設定し、巻き折りに折り畳まれた状態で第２葉片と第３葉片を介する折り線に沿って帯状に第３葉片の表面が表出するようにしたり、３葉片を巻き折りに折り畳んだ後に、第３葉片の表面に記載されている郵便はがきやポストカード又はそれに相当する表示が第１葉片に形成された窓を透して視認可能にしたり、さらに第１葉片の縦幅を他の２葉片の縦幅より短く設定し、巻き折りに折り畳まれた状態で、第３葉片の表面上部が表出するようにすればよい。
【０００７】
【発明の実施の形態】
図１（Ａ）及び（Ｂ）は、本発明の第１実施例における葉書用紙の表裏面を、（Ｃ）は（Ａ）におけるＸ−Ｘ断面図をそれぞれ表す。図２（Ａ）及び（Ｂ）は実施例１の巻き折り隠蔽葉書の断面図と平面図をそれぞれ表す。図３は第２実施例の葉書用紙表面側の平面図を表す。図４は本発明の別の実施例の葉書用紙表面側平面図を表す。図５（Ａ）、（Ｂ）、（Ｃ）は引例の葉書用紙の表裏面図と断面図をそれぞれ表す。図６は引例の断面図を表す。
以下図面に沿って本発明を詳しく説明する。
【０００７】
図１（Ａ）に示すように本実施例に使用される葉書用紙Ｓ１は第１葉片１、第２葉片２及び第３葉片３が横方向にそれぞれ折り線４、５を介して連接されている。そして第１葉片１は他の各葉片に比べ横幅において若干短く設定されている。第１葉片１表面は郵便切手欄や郵便番号欄の他に受取人の住所氏名６が記載されている。第２葉片２表面は折り畳むと表出する面なので、他人に見られても構わない広告宣伝等が印刷されている。第３葉片表面は折り畳むと表出する折り線５に沿った帯状の部分が表出し、その部分に例えば「郵便はがき」の文字が記載される。第３葉片３の斜線部分の疑似接着予定面は折り畳むと第１葉片１表面が重なり隠蔽される。従って、広告宣伝等の印刷の他に秘密を要する受取人の個人的な情報等を印刷することが可能である。
図１（Ｂ）に示すように葉書用紙Ｓ１裏面は全ての面が疑似接着予定面で、折り畳むと隠蔽される。従って、Ｓ１裏面は全面をワイドなレイアウトで広告宣伝に使用できると共に個人的な情報等も同時に記載可能である。
【０００８】
図１（Ｃ）は葉書用紙Ｓ１の斜線部分の疑似接着予定面を疑似接着フィルムＧで被覆した状態を示している。この図からもわかるように葉書用紙Ｓ１の厚さは第３葉片３のみが厚くなるだけで、引例のように第１葉片から第３葉片にかけて厚さが変化することがなく、各種加工を容易に行うことができる。
なお、この疑似接着フィルムＧは折り畳まれてお互い対向密着した状態で加圧又は加熱加圧処理を施すと剥離可能に疑似接着するものである。
ここで第２葉片２と第３葉片３の裏面同志を折り線５から折り合わせる。その後折り線４から第１葉片１裏面と第３葉片３表面を折り合わせると図２（Ａ）に示すように各疑似接着予定面に被覆した疑似接着フィルムＧの表面同志が各々対向し、この状態で例えば加圧ローラーやヒートローラーにより加圧又は加熱加圧処理を施せば、折り畳まれた葉書用紙Ｓ１は疑似接着フィルムＧを介し全体として剥離可能に一体化され郵政法で認められる葉書として投函することができる。
【０００９】
この葉書の受取人は、図２（Ｂ）に示す第１葉片１のコーナー部分に記載した「ここから開く」の指示に従い、第１葉片１裏面と第３葉片３表面の疑似接着予定面に被覆した疑似接着フィルムＧ同志を剥離し開封する。続いて第２葉片２と第３葉片３裏面同志を剥離し開封することにより、巻き折り隠蔽葉書Ｈは図１のように元通りの平面に展開されるのである。そして受取人は、透明な疑似接着フィルムＧを透して巻き折り隠蔽葉書Ｈに記載されている各種情報を容易に視認することができる。
既述のように本発明によれば一回の開封作業により全面展開が可能で、引例のような２回の開封作業は不用となる。
なお本実施例では縦長の３葉片が横方向に連接されているが、横長の葉片が横方向に連接された形態でも構わない。
【００１０】
図３は本発明の第２実施例の平面図である。この葉書用紙Ｓ２は３葉片とも同じ横幅で、折り畳むと３葉片が丁度重なり合うように設定されている。そして第３葉片１３の折り線１５に沿って記載されている「郵便ハガキ」の各文字に対応して重なる第１葉片１１表面部分に円形の窓１７を形成したものである。この葉書用紙Ｓ２は折り畳むと、葉書本体に相当する第３葉片１３の「郵便ハガキ」の表示が、各窓１７を透して読み取れるようになっている。即ちこの葉書も第１実施例と同様に、「郵便ハガキ」が表示された葉書本体の第３葉片１３の両面に添付物に相当する第１葉片１１と第２葉片１２が各々添付された形態となり、郵政法で認められる葉書として投函可能になるのである。なおこの窓１７は「郵便ハガキ」の表示一字一字に対応して必ずしも設ける必要はなく、例えば一つの大きな窓で文字全体が見えるように構成しても構わない。
【００１１】
図４は本発明におけるさらに別の実施例で、第１葉片２１の縦方向を他の葉片より短く設計し、折り畳むと第３葉片２３の上部が帯状に表出する形態である。そして葉書本体に相当する第３葉片２３の表出する上部に「ＰＯＳＴ　ＣＡＲＤ」の文字が表示されている。この葉書も前記各実施例と同様で、「ＰＯＳＴ　ＣＡＲＤ」が表示された葉書本体の第３葉片２３の両面に添付物に相当する第１葉片２１と第２葉片２２が各々添付された形態となり、郵政法で認められる葉書として投函可能になる。
【００１２】
なお本発明は前記実施例に限定されるものではない。例えば疑似接着手段として前記実施例では疑似接着フィルムを使用していたが、印刷が完了した葉書用紙に塗工等によりＯＰワニス系、紫外線硬化系、溶剤蒸発乾燥系等の各種疑似接着媒体を塗布することにより、疑似接着性の被膜を形成する方法（業界で後糊方式、ニス引き方式と呼ばれている）でもよい。
同様に業界で圧着紙と呼ばれ、天然ゴムや合成ゴムを主体に各種添加剤を調合した接着剤を使用し、強圧を掛けると剥離可能に疑似接着する用紙も好適に使用することができる。
何れの疑似接着手段も対向する両面に形成する方法でも、片面のみに形成する方法でも構わない。片面のみに形成する方法であれば、図１（Ｃ）の第３葉片３表面の疑似接着手段が不用となり、葉書用紙の厚さが全体で均一になるため各種加工が一層容易になる。
また葉書本体に相当する各第３葉片の表出する部分に、郵便ハガキ等の表示以外の表示が記載されていても構わない。
【００１３】
【発明の効果】
本発明によれば、受取人に伝達する広告宣伝や個人情報とは関係のない郵便葉書関連の表示が葉書用紙裏面に一切入ることがなく、さらに全ての葉片裏面が隠蔽される。従って３葉片が連続するワイドなレイアウトが可能になり、開封し展開すると隠蔽されていたワイドなレイアウトが飛び出し、受取人に強烈なインパクトを与えることができる。
また開封個所が最低の一個所で済むため煩わしい開封作業が一度で済み、また郵送途中に自然に開封してしまう等の事故がなくなる。
さらに葉書用紙の厚さの差が僅かに現れるだけなので、各種工程が容易になり素人でも隠蔽葉書を失敗することなく短時間に大量生産することが可能である。
【図面の簡単な説明】
【図１】（Ａ）、（Ｂ）は本発明の第１実施例における葉書用紙の表裏面を、（Ｃ）は（Ａ）におけるＸ−Ｘ断面図をそれぞれ表す。
【図２】（Ａ）、（Ｂ）は実施例１の巻き折り隠蔽葉書の断面図と平面図をそれぞれ表す。
【図３】第２実施例の葉書用紙表側の平面図を表す。
【図４】本発明の別の実施例の葉書用紙表側の平面図を表す。
【図５】（Ａ）、（Ｂ）、（Ｃ）は引例の葉書用紙の表裏面図と断面図をそれぞれ表す。
【図６】引例の隠蔽葉書の断面図を表す。
【符号の説明】
Ｓ１、Ｓ２、Ｓ３、Ｓ４　葉書用紙
Ｇ　疑似接着フィルム
Ｈ　巻き折り隠蔽葉書
Ｋ　開封個所
１、１１、２１、３１　第１葉片
２、１２、２２、３２　第２葉片
３、１３、２３、３３　第３葉片
４、５、１４、１５、２４、２５、３４、３５　折り線
６、１６、２６、３６　受取人の住所氏名
１７　窓
【図１】
2004050804.tif 000003
【図２】
2004050804.tif 000004
【図３】
2004050804.tif 000005
【図４】
2004050804.tif 000006
【図５】
2004050804.tif 000007
【図６】
2004050804.tif 000008